(57)【要約】シグナリングの改善が有利となりうる通信システムが各種存在する。例えば、通信システムは、受信したユーザ端末がビームフォーミングトレーニングと、チャネル推定またはチャネル状態情報取得とを同時に実行可能にするようなマルチヌーメロロジー（multi-numerology）参照信号を送信することが有利となりうる。方法は、ユーザ端末において、マルチヌーメロロジー結合参照信号を受信することを含んでもよい。前記参照信号は、データチャネル復調またはチャネル状態情報取得用の参照信号と、ビームフォーミングトレーニング用の参照信号とを含んでもよい。前記方法はさらに、ビームフォーミングトレーニングと、チャネル推定またはチャネル状態情報取得とを、前記マルチヌーメロロジー結合参照信号に基づいて同時に実行することを含んでもよい。【選択図】図６
2019532551.tif 000002
【特許請求の範囲】
【請求項１】
ユーザ端末において、データチャネル復調またはチャネル状態情報取得用の参照信号と、ビームフォーミングトレーニング用の参照信号と、を含むマルチヌーメロロジー（multi-numerology）結合参照信号を受信することと、
ビームフォーミングトレーニングと、チャネル推定またはチャネル状態情報取得とを、前記マルチヌーメロロジー結合参照信号に基づいて同時に実行することと、
を含む方法。
【請求項２】
前記ユーザ端末において、マルチヌーメロロジー参照信号を検出するために、複数のアンテナポートが設定されていることを示す標示を受信することをさらに含む、請求項１に記載の方法。
【請求項３】
前記ユーザ端末において、前記マルチヌーメロロジー参照信号における第１のヌーメロロジーがビームフォーミングトレーニング用であって、前記マルチヌーメロロジー参照信号における第２のヌーメロロジーがチャネル推定またはチャネル状態情報取得用であることを示す標示を受信することをさらに含む、請求項１に記載の方法。
【請求項４】
前記チャネル推定は、少なくとも参照信号受信電力または参照信号受信品質の推定を含む、請求項１に記載の方法。
【請求項５】
前記チャネル状態情報取得は、計算ランクインジケータ（ＲＩ）と、プリコーダ行列インジケータ（ＰＭＩ）と、チャネル品質情報（ＣＱＩ）とを含む、請求項１に記載の方法。
【請求項６】
少なくとも１つのガードトーンが前記参照信号に含まれ、前記ガードトーンは、前記マルチヌーメロロジー参照信号の第１のヌーメロロジーと第２のヌーメロロジーとの間に配置される、請求項１に記載の方法。
【請求項７】
前記マルチヌーメロロジー参照信号の第１のヌーメロロジーと第２のヌーメロロジーとが、符号領域または周波数領域において多重化される、請求項６に記載の方法。
【請求項８】
前記ユーザ端末において、前記参照信号における前記ヌーメロロジーの少なくとも１つに応じてアンテナポートを切り替える標示を受信すること、をさらに含む、請求項１に記載の方法。
【請求項９】
前記マルチヌーメロロジー参照信号の第１のヌーメロロジーと第２のヌーメロロジーとが、互いに異なるサブキャリア間隔を有することができる、請求項１に記載の方法。
【請求項１０】
前記ビームフォーミングトレーニングと、チャネル推定またはチャネル状態情報取得とを同時に実行することが、前記ユーザ端末における送信機または受信機の少なくとも一方の方向調整をトリガする、請求項１に記載の方法。
【請求項１１】
ネットワークノードにおいて、データチャネル復調またはチャネル状態情報取得用の参照信号と、ビームフォーミングトレーニング用の参照信号と、を含むマルチヌーメロロジー（multi-numerology）結合参照信号を作成することと、
前記マルチヌーメロロジー結合参照信号をユーザ端末に送信することと、
を含む方法。
【請求項１２】
前記マルチヌーメロロジー結合参照信号を送信することは、前記ユーザ端末からフィードバックまたはリクエストを受信することと、前記ネットワークノードでの所定のトリガ条件と、の少なくとも一方によりトリガされる、請求項１１に記載の方法。
【請求項１３】
単一の直交周波数分割多重化シンボル内で、前記ビームフォーミングトレーニングのパターンと、前記データチャネル復調または前記チャネル状態情報取得に関する情報とが、同時に送信される、請求項１１に記載の方法。
【請求項１４】
前記マルチヌーメロロジー参照信号は、前記ネットワークノードの異なる複数のアンテナポートに作成される、請求項１１に記載の方法。
【請求項１５】
前記参照信号の第１のヌーメロロジーと前記の第２のヌーメロロジーとが、前記ネットワークノードの異なるアンテナポートで送信される、請求項１１に記載の方法。
【請求項１６】
少なくとも１つのガードトーンが前記参照信号に含まれ、前記ガードトーンは、前記マルチヌーメロロジー参照信号の第１のヌーメロロジーと第２のヌーメロロジーとの間に配置される、請求項１１に記載の方法。
【請求項１７】
前記マルチヌーメロロジー参照信号の第１のヌーメロロジーと第２のヌーメロロジーとは、符号領域または周波数領域において多重化される、請求項１１に記載の方法。
【請求項１８】
前記マルチヌーメロロジー参照信号の第１のヌーメロロジーと第２のヌーメロロジーとは、同一の持続期間において送信される、請求項１１に記載の方法。
【請求項１９】
前記マルチヌーメロロジー参照信号における前記ヌーメロロジーの少なくとも１つが、データ送信用である、請求項１１に記載の方法。
【請求項２０】
前記参照信号が、前記ユーザ端末における送信機または受信機の少なくとも一方の方向調整をトリガする、請求項１１に記載の方法。
【請求項２１】
少なくとも１つのプロセッサと、
コンピュータプログラムコードを含む少なくとも１つのメモリと、を備える装置であって、
前記少なくとも１つのメモリおよび前記コンピュータプログラムコードは、前記少なくとも１つのプロセッサにより、前記装置に少なくとも、請求項１から２０のいずれかに記載のプロセスを遂行させるように構成される、
装置。
【請求項２２】
ハードウェアにおいて実行されると、請求項１から２０のいずれかに記載のプロセスを実行する命令を符号化した、非一時的コンピュータ可読媒体。
【請求項２３】
請求項１から２０のいずれかに記載のプロセスを実行する手段を備える装置。
【請求項２４】
請求項１から２０のいずれかに記載のプロセスを実行するための命令を符号化するコンピュータプログラム製品。
【請求項２５】
ハードウェアにおいて実行されると、請求項１から２０のいずれかに記載のプロセスを実行する命令を符号化した、非一時的コンピュータ可読媒体に実装されるコンピュータプログラム製品。
【発明の詳細な説明】
【関連出願の相互参照】
【０００１】
本出願は、２０１６年１０月３日に出願された米国特許仮出願番号６２／４０３，５２２の優先権の利益を享受する。当該仮出願の全内容は本出願において参照することにより援用される。
【背景】
【０００２】
［分野］
記載の発明は無線通信に関し、特に５Ｇによる新たな無線システムの参照信号に関する。
【関連技術の説明】
【０００３】
第３世代パートナーシッププロジェクト（Third Generation Partnership Project：３ＧＰＰ）の第５世代移動通信技術（５Ｇ）は、極めて広帯域、さらに非常にロバストでレイテンシが低い接続性を実現する、次世代の無線システムおよびネットワーク構造である。５Ｇは、基地局およびユーザ端末で利用されるデジタル−アナログハイブリッドアンテナ構造を実現可能とするものである。ハイブリッドアンテナは、６ギガヘルツ（ＧＨｚ）超の高キャリア周波数を対象としたシステムの促進に寄与しうる。
【０００４】
２８ＧＨｚ等のさらなる高キャリア周波数では、無線チャネルの伝搬、および／または経路損失が大きくなりうる。そのような高キャリア周波数のセルラーネットワークにおいて十分なカバレッジを実現するため、大規模アンテナアレイを介したビームフォーミングを利用できる。大規模アンテナアレイは、ネットワークのアンテナゲインを向上する。例えば基地局はアンテナ要素６４個で１８デシベル（ｄＢ）向上し、ユーザ端末はアンテナ要素８個で９ｄＢ向上する。
【０００５】
大規模アンテナアレイの利点を余すところなく享受するため、フェーズドアンテナアレイ技術を利用してもよい。送信機および受信機における指向性も、設置状況、および／または送信機と受信機との間の無線リンクの将来的な変化の可能性に応じて、調整してもよい。ただしこのようなアレイの利点を最大限享受する手法を利用すると、ユーザ端末におけるビームフォーミングトレーニング、ビームトラッキング、ビーム切り替え等の機能の実行によって、大量のシステムオーバーヘッドも生じうる。
【摘要】
【０００６】
ある実施形態によると、装置は、コンピュータプログラムコードを含む少なくとも１つのメモリと、少なくとも１つのプロセッサと、を備えてもよい。前記少なくとも１つのメモリおよび前記コンピュータプログラムコードは、前記少なくとも１つのプロセッサにより、前記装置に少なくとも、ユーザ端末においてマルチヌーメロロジー（multi-numerology）結合参照信号を受信させるように構成されてもよい。前記参照信号は、データチャネル復調またはチャネル状態情報取得用の参照信号と、ビームフォーミングトレーニング用の参照信号とを含む。前記少なくとも１つのメモリおよび前記コンピュータプログラムコードは、前記少なくとも１つのプロセッサにより、前記装置に少なくとも、ビームフォーミングトレーニングと、チャネル推定またはチャネル状態情報取得とを、マルチヌーメロロジー結合参照信号に基づいて同時に実行させるようにさらに構成されてもよい。
【０００７】
ある実施形態では、方法は、ユーザ端末において、マルチヌーメロロジー結合参照信号を受信することを含んでもよい。前記参照信号は、データチャネル復調またはチャネル状態情報取得用の参照信号と、ビームフォーミングトレーニング用の参照信号とを含んでもよい。前記方法はさらに、ビームフォーミングトレーニングと、チャネル推定またはチャネル状態情報取得とを、前記マルチヌーメロロジー結合参照信号に基づいて同時に実行することを含んでもよい。
【０００８】
ある実施形態では、装置は、ユーザ端末において、マルチヌーメロロジー結合参照信号を受信する手段を含んでもよい。前記参照信号は、データチャネル復調またはチャネル状態情報取得用の参照信号と、ビームフォーミングトレーニング用の参照信号とを含んでもよい。前記装置はさらに、ビームフォーミングトレーニングと、チャネル推定またはチャネル状態情報取得とを、前記マルチヌーメロロジー結合参照信号に基づいて同時に実行する手段を含んでもよい。
【０００９】
ある実施形態によると、非一時的コンピュータ可読媒体は、ハードウェアにおいて実行されるとプロセスを実行する命令を符号化している。前記プロセスは、ユーザ端末において、マルチヌーメロロジー結合参照信号を受信することを含んでもよい。前記参照信号は、データチャネル復調またはチャネル状態情報取得用の参照信号と、ビームフォーミングトレーニング用の参照信号とを含んでもよい。前記プロセスはさらに、ビームフォーミングトレーニングと、チャネル推定またはチャネル状態情報取得とを、前記マルチヌーメロロジー結合参照信号に基づいて同時に実行することを含んでもよい。
【００１０】
別の実施形態によると、コンピュータプログラム製品は、プロセスを実行するための命令を符号化してもよい。前記プロセスは、ユーザ端末において、マルチヌーメロロジー結合参照信号を受信することを含んでもよい。前記参照信号は、データチャネル復調またはチャネル状態情報取得用の参照信号と、ビームフォーミングトレーニング用の参照信号とを含んでもよい。前記プロセスはさらに、ビームフォーミングトレーニングと、チャネル推定またはチャネル状態情報取得とを、前記マルチヌーメロロジー結合参照信号に基づいて同時に実行することを含んでもよい。
【００１１】
ある実施形態によると、装置は、コンピュータプログラムコードを含む少なくとも１つのメモリと、少なくとも１つのプロセッサと、を備えてもよい。前記少なくとも１つのメモリおよび前記コンピュータプログラムコードは、前記少なくとも１つのプロセッサにより、前記装置に少なくともネットワークノードにおいて、マルチヌーメロロジー結合参照信号を作成させるように構成されてもよい。前記参照信号は、データチャネル復調またはチャネル状態情報取得用の参照信号と、ビームフォーミングトレーニング用の参照信号とを含んでもよい。前記少なくとも１つのメモリおよび前記コンピュータプログラムコードは、前記少なくとも１つのプロセッサにより、前記装置に少なくともマルチヌーメロロジー結合参照信号をユーザ端末に送信させるように構成されてもよい。
【００１２】
ある実施形態では、方法は、ネットワークノードにおいて、マルチヌーメロロジー結合参照信号を作成することを含んでもよい。前記参照信号は、データチャネル復調またはチャネル状態情報取得用の参照信号と、ビームフォーミングトレーニング用の参照信号とを含んでもよい。前記方法はさらに、前記マルチヌーメロロジー結合参照信号をユーザ端末に送信することを含んでもよい。
【００１３】
ある実施形態では、装置は、ネットワークノードにおいて、マルチヌーメロロジー結合参照信号を作成する手段を含んでもよい。前記参照信号は、データチャネル復調またはチャネル状態情報取得用の参照信号と、ビームフォーミングトレーニング用の参照信号とを含んでもよい。前記装置はさらに、前記マルチヌーメロロジー結合参照信号をユーザ端末に送信する手段を含んでもよい。
【００１４】
ある実施形態によると、非一時的コンピュータ可読媒体は、ハードウェアにおいて実行されるとプロセスを実行する命令を符号化している。前記プロセスは、ネットワークノードにおいて、マルチヌーメロロジー結合参照信号を作成することを含んでもよい。前記参照信号は、データチャネル復調またはチャネル状態情報取得用の参照信号と、ビームフォーミングトレーニング用の参照信号とを含んでもよい。前記プロセスはさらに、前記マルチヌーメロロジー結合参照信号をユーザ端末に送信することを含んでもよい。
【００１５】
別の実施形態によると、コンピュータプログラム製品は、プロセスを実行するための命令を符号化してもよい。前記プロセスは、ネットワークノードにおいて、マルチヌーメロロジー結合参照信号を作成することを含んでもよい。前記参照信号は、データチャネル復調またはチャネル状態情報取得用の参照信号と、ビームフォーミングトレーニング用の参照信号とを含んでもよい。前記プロセスはさらに、前記マルチヌーメロロジー結合参照信号をユーザ端末に送信することを含んでもよい。
【図面の簡単な説明】
【００１６】
本発明を適切に理解するために、以下の添付の図面を参照されたい。
【図１】図１は、ある実施形態によるシステムを示す。
【図２】図２は、ある実施形態によるシステムを示す。
【図３】図３は、ある実施形態による送信機側のプロセスを示す。
【図４】図４ａは、ある実施形態による参照信号パターンを示す。図４ｂは、ある実施形態による参照信号パターンを示す。
【図５】図５は、ある実施形態によるフロー図を示す。
【図６】図６は、ある実施形態によるフロー図を示す。
【図７】図７は、ある実施形態によるシステムを示す。
【発明を実施するための形態】
【００１７】
ある実施形態は、送信機（Ｔｘ）／受信機（Ｒｘ）ビームフォーミングトレーニングと、データチャネル復調用のチャネル推定とを同時実現可能としうる。例えば、チャネル推定は、ダウンリンク（ＤＬ）物理データチャネル復調における参照信号受信電力（ＲＳＲＰ）、参照信号受信品質（ＲＳＲＱ）、またはチャネル状態情報（ＣＳＩ）の推定であってもよい。ある実施形態では、ＤＬ  ＣＳＩは、ランクインジケータ（ＲＩ）、プリコード化マトリクスインジケータ（ＰＭＩ）、またはチャネル品質情報（ＣＱＩ）であってもよい。
【００１８】
いくつかの実施形態では、ユーザ端末（ＵＥ）は、データチャネル復調およびＵＥ  ＴＸ／ＲＸビームフォーマートレーニング用のマルチヌーメロロジー結合参照信号を受信してもよい。別の実施形態では、ＵＥは、ＤＬ  ＣＳＩ取得用と、ＵＥ  ＴＸ／ＲＸビームフォーマートレーニング用とのマルチヌーメロロジー結合参照信号を受信してもよい。参照信号は、周波数分割多重化（ＦＤＭ）または直交周波数分割多重化（ＯＦＤＭ）を利用したものであってもよい。マルチヌーメロロジー結合参照信号を受信するＵＥは、同時に参照信号を受信して、ビームフォーミングトレーニングと、チャネル推定を決定することまたはＣＳＩを取得することとを実行してもよい。したがって、参照信号は、ＵＥにビームフォーミングトレーニングと、チャネル推定またはＣＳＩ取得とを同時に実行可能とするための、多目的参照信号であってもよい。
【００１９】
図１は、ある実施形態によるシステムを示す。具体的には、図１は、２つの送受信点（ＴＲＰ）１１０および１２０と、２つのＵＥ１３０および１４０とを有する、簡略的マルチビーム通信システムの例を示す。ＵＥ１３０および１４０はそれぞれ、ＴＲＰ１１０および１２０における少なくとも１つの送信機からの信号を受信する少なくとも１つの受信機を有してもよい。受信機と送信機とは合わせて、Ｔｘ／Ｒｘビーム対を形成しうる。図１の実施形態では、ＴｘおよびＲｘビームフォーミングの利点を余すところなく利用するため、複数の受信機および送信機ビーム対が特定されて、個別にトレーニングされてもよい。当該個別トレーニングは、高シグナリングオーバーヘッドおよびレイテンシにつながりうる。各ＵＥに対して、要求に応じてビームフォーミングトレーニングが実行されれば、シグナリングオーバーヘッドはさらに大きな値に増加する。
【００２０】
ある実施形態は、ビームフォーミング機能に関するシグナリングオーバーヘッドの増加を抑えることで、ビームフォーミングを利用した通信システムの向上を図りうる。システムオーバーヘッドおよびレイテンシを抑えながら、効率的なビームフォーミングトレーニングおよびトラッキングの実行に寄与するため、マルチヌーメロロジー結合参照信号を導入してもよい。
【００２１】
マルチヌーメロロジー結合参照信号は、５Ｇ  ＮｏｄｅＢ（５Ｇ  ＮＢ）または基地局のようなネットワークノードから、ＵＥに対して送信されてもよい。ＵＥは、Ｔｘ／Ｒｘビームフォーミングトレーニングと、データチャネル推定またはＣＳＩ取得とを同時に実行してもよい。言い換えると、ＵＥはネットワークノードから参照信号を受信しながら、ＲＸ／ＴＸビームフォーミングトレーニングを実行してもよい。いくつかの実施形態では、ＵＥにおける参照符号の受信は、ビーム受信専用またはそれに利用可能なリソースの数に依存しうる。別の実施形態では、参照信号は異なるパターンや、ヌーメロロジーの別の選択肢を有してもよい。
【００２２】
ネットワークノードは、マルチヌーメロロジー参照信号を作成または構築してもよい。マルチヌーメロロジー参照信号は、例えば、同一の信号において、シンボル持続時間、サブキャリア間隔、およびサブフレームあたりのシンボル数等の、多数の信号特性が定義された参照信号を含んでもよい。ＵＥは当該参照信号を、データチャネル復調またはＣＳＩ取得と、Ｔｘ／Ｒｘビームフォーミングトレーニングとに利用してもよい。ビームフォーミングトレーニングは、ＵＥにおける受信機と、受信されるビームの送信元のネットワークノードにおける送信機との間で、最高のチャネルゲインを実現する、方位角、および／または仰角領域における最善のビーム方向を、ＵＥが選択することを含みうる。ＵＥまたはネットワークノードにおける、Ｔｘ／Ｒｘの少なくとも１つまたはアンテナを、最善のビーム方向に応じて調整または変更して、さらなるゲイン向上を図ってもよい。これは、ユーザ端末と、ネットワークノードとの間のビーム対通信リンク品質の保証に寄与しうる。参照信号はビームフォーミングトレーニングパターンを含むことに加えて、参照信号はさらに例えばＲＳＲＰまたはＲＳＲＱ、あるいはその他のデータ形式のようなビーム測定値を含んでもよい。
【００２３】
ある実施形態では、参照信号は持続時間の異なる多数のＯＦＤＭシンボルに関連付けられた物理リソースブロックから構成または構築されてもよい。各物理リソースブロックは、さらに物理リソース要素に分割可能な、周波数リソース組により定義されてもよい。各ブロック内の周波数リソースは、少なくとも１つのアンテナポートに関連付けられてもよい。アンテナポートの数と、アンテナポートの物理リソースに対する関連付けは、専用ユーザ固有ダウンリンク制御シグナリングにより、動的に設定されてもよい。物理リソースブロックは、１つまたは複数のヌーメロロジーを有してもよい。いくつかの実施形態では、各物理リソースブロックは同一のまたは異なる参照信号パターンを有してもよい。
【００２４】
実施形態では、物理リソースブロックに関連付けられた複数のアンテナポートは、周波数領域、コード、および／または時間領域において多重化されてもよい。データチャネル復調用の複数のマルチヌーメロロジー参照信号は、図４ａに示すように、シンボル持続期間が同一のまたは異なる少なくとも２つの連続したＯＦＤＭシンボルで送信されてもよい。ただし、別の実施形態では、ＯＦＤＭシンボルの任意のパターンを利用して、複数のマルチヌーメロロジー参照信号が送信されてもよい。
【００２５】
ある実施形態では、ネットワークノードは、データチャネル復調またはＣＳＩ取得用にマルチヌーメロロジー参照信号を送信してもよい。ＵＥは同時に、ビームフォーミングトレーニングと、物理ダウンリンクチャネル等のデータチャネル復調用のチャネル推定またはＤＬ  ＣＳＩ取得とを同時に実行してもよい。参照信号を受信する前に、ＵＥは、参照信号種類および／または関連付けられたアンテナポート組とそのリソースについての情報を受信してもよい。ＵＥは、その情報を利用して、個別の複数のハードウェアリソースを少なくとも１つの参照信号種類を同時に受信専用にすることができる。専用ハードウェアリソースは、ＵＥのリソース能力を決定しうる。
【００２６】
ＵＥの能力によっては、ＵＥはビーム到来方向について、複数の検証を行ったり、またはテストを実行したりできうる。これは、ビームフォーミングトレーニングの一環として実行されてもよい。例えば、方向は、受信したビームの方位角、および／または仰角により定義されてもよい。参照信号受信中の、ビームフォーミングトレーニングおよび／または少なくとも１つのアンテナパネルの改善を実行することにより、理想的な方向を決定してもよい。いくつかの実施形態では、ＵＥは、そのハードウェアリソースに関連付けられた能力によっては、ビームフォーミングトレーニングと同時にデータのチャネル推定および／または制御チャネル復調を計算するか、ＣＳＩを取得してもよい。同時にというのは、ビームフォーミングトレーニングと、チャネル推定またはＣＳＩ取得とが平行して生じることを意味する。
【００２７】
ある実施形態では、参照信号リソースブロック組に対する参照信号種類についての情報は、専用ユーザ固有ダウンリンク制御チャネルを介してＵＥにシグナリングされてもよい。送信アンテナポートの疑似コロケーション（ＱＣＬ）に関するユーザ固有情報を動的にＵＥにシグナリングして、ビームフォーミングトレーニングおよびチャネル推定を向上してもよい。参照信号に含まれた情報により、ＱＣＬされたまたはコロケーションされていないアンテナポート組を定義してもよい。
【００２８】
ユーザ固有情報がＵＥにシグナリングされてもよい。ＵＥは、ユーザ固有情報を利用して、ＵＥを少なくとも１つのネットワークノードに接続する少なくとも１つの通信リンクの性能向上を図ってもよい。ある実施形態では、ＵＥは、参照信号種類またはＱＣＬされたまたはコロケーションされていないアンテナポートについての情報の少なくとも１つを利用して、ＵＥおよび／またはＵＥにおけるビームフォーミング受信機の方向のチャネル推定器を設定してもよい。いくつかの実施形態では、決定された方向を、ビームフォーミングトレーニングの初期方向として使用してもよい。一方で、チャネル推定器に関連付けられたビームフォーマーの方向は、復調参照信号受信またはＣＳＩ取得の持続期間中、固定されてもよい。これを図２のＵＥにおける第１および第２のアンテナポートに示す。
【００２９】
ビームフォーミングトレーニングと、チャネル推定またはＣＳＩ取得とを同時に実行することで、ＵＥはビームまたはチャネルの相互関係を利用して、ＵＥアップリンクチャネルまたは送信ビームの少なくとも一方を取得してもよい。ある実施形態では、無線リソース制御（ＲＲＣ）を介して、半固定的に参照信号のリソーススペースがＵＥに割り当たられてもよい。いくつかの実施形態において、リソーススペースは、ＵＥ間で動的に共有されてもよい。別の実施形態では、参照信号専用のリソースが、物理層ダウンリンク制御情報（ＤＣＩ）を使用して、動的に事前設定されてもよい。
【００３０】
図２は、ある実施形態によるシステムを示す。具体的には、図２は、ＵＥまたは受信機側の実施形態を示す。ＴＲＰ２１０およびＴＲＰ２２０が設けられ、異なるヌーメロロジーを有する単一のＯＦＤＭシンボル参照信号において、同時送信を行う。ある実施形態では、ＴＲＰ２１０は、データ復調のためのチャネル推定計算またはＣＳＩ取得のための参照信号パターンを送信する。一方、ＴＲＰ２２０は、Ｔｘ／Ｒｘビームフォーミングトレーニング用の参照信号パターンを送信する。チャネル推定またはＣＳＩ取得計算用およびビームフォーミングトレーニング用の参照信号パターンの両方をまとめて、単一の参照信号としてＵＥに送信してもよい。図３は、送信機側で、参照信号パターンを組み合わせる実施形態を示す。
【００３１】
ビームトレーニング参照信号のサブキャリア間隔は、例えば復調参照信号に比べ４倍となるため、復調参照信号持続期間中に、ビームフォーミングトレーニングに対して４つの異なるシンボルタイムインスタンスが観察される。いくつかの実施形態では、復調、ＣＳＩ取得、および／またはビームフォーミングトレーニング用のマルチヌーメロロジー参照信号パターン送信中に送信機ビーム方向が固定されていてもよい。参照信号は、４つの異なる受信機アンテナポート（ＡＰ）を有するＵＥ２３０により受信されてもよい。参照信号を受信中、ＵＥ２３０における第１および第２のアンテナポートは、固定されてもよいし、同一のビーム方向を利用し、一方で第３および第４のアンテナポートは各時間インスタンスにおいて異なるビーム方向を利用してもよい。したがって、第３および第４のアンテナポートは、第１および第２のアンテナポートが固定されたままの状態で、ビームフォーミングトレーニングを実行してもよい。
【００３２】
いくつかの実施形態では、ＵＥ２３０における各ＡＰは、各ＡＰにおける個別のアナログビームフォーマーに関連付けられてもよい。ビームフォーマーは、ビームフォーミング信号を受信または送信するネットワークエンティティまたはＵＥ内の受信機または送信機であってもよい。これにより、ＵＥが多用途参照信号を効率的に利用可能となりうる。ＵＥ２３０は、チャネル推定のために、ビームフォーマーが第１および第２のＡＰに関連付けられた状態で、一方向から信号を受信しながら、同時に第３および第４のＡＰにおいてビームフォーミングトレーニングパターンを受信してもよい。ＵＥは、ビームフォーミングトレーニングを実行し、第３および第４のＡＰのビーム受信方向を変更して最善の方向を効果的に検証できる。
【００３３】
ＵＥ２３０はＤＣＩを介してＵＥで受信した、受信ＵＥ固有ダウンリンク制御シグナリングと、ＱＣＬ  ＡＰ組と、さらに／あるいは関連したＡＰの参照信号種類を利用して、チャネル推定、ＣＳＩ取得、および／またはビームフォーミングトレーニングを実行してもよい。図２の第３のタイムインスタンスは、ＵＥ２３０におけるＴＲＰ２２０に対する最善のビーム受信機方向を示すものであってもよい。
【００３４】
図３は、ある実施形態による送信機側のプロセスを示す。具体的には、図３は２つの異なるヌーメロロジー選択肢による、チャネル推定参照信号パターンまたはＣＳＩ取得パターン、およびビームフォーミングトレーニング参照信号パターンの、送信機側の送信処理の例を示す。２つの異なる参照信号パターンを単一の参照信号にまとめて、ＵＥに送信してもよい。
【００３５】
送信機側の処理３１０は、サブキャリア間隔が６０キロヘルツ（ＫＨｚ）のビームフォーミングトレーニングについての参照信号パターンの送信機側の処理を示す。サブキャリア間隔は、参照信号パターンのヌーメロロジーであってもよい。一方で、送信機側の処理３２０は、サブキャリア間隔が１５キロヘルツ（ＫＨｚ）のチャネル推定についての参照信号パターンの送信機側の処理を示す。ＡＰ＿ｘ３３０およびＡＰ＿ｙ３４０がさらに示される。ここで、ｘおよびｙは、アンテナポート標示を定義するものである。ビームフォーミングトレーニングパターンと、チャネル推定パターンの両方が、標示として含まれてもよい。逆高速フーリエ変換（ＩＦＦＴ）を使用して、参照信号パターンのシンボルを周波数から時間領域送信に変換してもよい。標示を作成するために使用される帯域は、８０メガヘルツ（ＭＨｚ）であってもよい。
【００３６】
ある実施形態では、ビームトレーニング用の物理リソースにマッピングされた参照信号パターンと、物理リソース要素にマッピングされたチャネル推定またはＣＳＩ取得参照信号パターンは、組み合わされても重複することはない。いくつかの実施形態では、いくつかの物理リソース要素間隙が空いていてもよい。例えば１２サブキャリアのギャップが周波数領域に設けられて、これら異なる２つの参照信号パターン同士の分離を保証してもよい。
【００３７】
図４ａおよび４ｂは、ある実施形態による参照信号パターンを示す。具体的には、図４ａはデータ復調またはＣＳＩ取得用のチャネル推定用、およびビームフォーミングトレーニング用に複数のヌーメロロジーを有する、多目的参照信号パターンの候補を示す。６０ｋＨｚおよび２４０ｋＨｚサブキャリア間隔に対応する、参照信号パターンの２つのヌーメロロジーは、周波数領域において多重化されてもよい。４度の２４０ｋＨｚサブキャリア間隔を有する複製参照信号シンボル４１１が、６０ｋＨｚサブキャリア間隔を有する１つの参照信号シンボル４１０の持続期間に等しくてもよい。
【００３８】
図４ａは、１つの参照信号リソースパターンを示すが、周波数多重化の様々なその他形態および実施形態が可能である。図４ａの実施形態において、データ復調用に、ＴＲＰにおいて第１のＡＰおよび第２のＡＰからリソースブロック４１０が送信される。ビームフォーミングトレーニング用に、同じまたは別のＴＲＰにおける第３のＡＰおよび第４のＡＰからリソースブロック４１１が送信される。２４０ｋＨｚのサブキャリア間隔で送信される複数の参照信号複製により、ＵＥがビームフォーミングトレーニングを実行可能にしうる。ここで、ＵＥはビームフォーミングテストを複数回実行して、理想的なビーム受信方向を判定してもよい。ビームフォーミングトレーニングは、ＵＥがデータおよび／または制御情報を受信する回数だけ実行されてもよい。
【００３９】
図４ｂはさらに、データ復調またはＣＳＩ取得用にＴＲＰからリソースブロック４２０が送信され、ビームフォーミングトレーニング用にＴＲＰからリソースブロック４２１が送信される参照信号パターンを示す。ガードトーン４３０を参照信号パターン間に設けて、異なるヌーメロロジー間の干渉の可能性をなくしてもよい。
【００４０】
図５は、ある実施形態によるフロー図を示す。具体的には、図５は、基地局または５Ｇ−ＮＢ等のネットワークノードの実施形態を示す。ステップ５１０では、ネットワークノードは、マルチヌーメロロジー結合参照信号を作成してもよい。参照信号は、データチャネル復調またはチャネル状態情報取得用の参照信号と、ビームフォーミングトレーニング用の参照信号とを含んでもよい。例えば、参照信号はビームフォーミングトレーニングパターン、チャネル推定パターン、および／またはＣＳＩ取得パターンを含んでもよい。ステップ５２０では、ネットワークノードは、マルチヌーメロロジー結合参照信号をユーザ端末に送信してもよい。参照信号の送信は、ＵＥフィードバック、ＵＥから受信したリクエスト、またはその他トリガ条件によりトリガされてもよい。トリガ条件は、ネットワークノードにおいて予め決定または定義されてもよい。
【００４１】
ある実施形態では、ネットワークノードは、異なる複数のアンテナポート上に、マルチヌーメロロジー参照信号とも称する、複数ヌーメロロジー参照信号を設定または作成してもよい。ネットワークノードは、少なくとも１つのアンテナポートからヌーメロロジーの１つを送信し、少なくとも１つの異なるアンテナポートから別のヌーメロロジーを送信してもよい。例えば６０ｋＨｚの、低いヌーメロロジーのシンボルの持続期間が、例えば２４０ｋＨｚの、高いヌーメロロジーによる複数のシンボルの持続期間と等しくてもよい。ネットワークノードは、参照信号において、異なる複数のヌーメロロジー間にガードトーンを少なくとも１つ挿入して、重複やヌーメロロジー間干渉を防止してもよい。
【００４２】
いくつかの実施形態では、ネットワークノードは、同一のヌーメロロジーの参照信号を符号領域で多重化してもよい。異なるヌーメロロジーの２つの参照信号は、同じ持続期間において送信されてもよい。ネットワークノードはさらに、データ送信またはＣＳＩ取得用の１つ以上のヌーメロロジーにより、参照信号を事前に符号化してもよい。さらに、ある実施形態では、ネットワークノードは参照信号のヌーメロロジーを、時間領域のアンテナポート間で切り替えてもよい。ネットワークノードは、ビームおよびアンテナパネルに関連付けられた異なる複数の送信機アンテナポートから、異なる複数のヌーメロロジーを送信してもよい。
【００４３】
図６は、ある実施形態によるフロー図を示す。具体的には、図６はユーザ端末の実施形態を示す。ステップ６１０では、ＵＥは、マルチヌーメロロジー結合参照信号を受信してもよい。参照信号は、データチャネル復調またはチャネル状態情報取得用の参照信号と、ビームフォーミングトレーニング用の参照信号とを含んでもよい。例えば、参照信号は、ビームフォーミングトレーニングパターンまたはチャネル推定パターン、および／またはＣＳＩ取得パターンを含んでもよい。ステップ６２０では、ＵＥはマルチヌーメロロジー結合参照信号に基づいてビームフォーミングトレーニングと、チャネル推定またはＣＳＩ取得とを同時に実行してもよい。
【００４４】
ある実施形態では、異なる複数のヌーメロロジーによる複数の参照信号アンテナポートが、到来信号またはビーム検出用に設定または作成されていることを示す標示を、例えばＤＣＩを介してＵＥが受信してもよい。上位層シグナリングを使用するＵＥに対して、参照信号の種類が示されてもよい。ＵＥはさらに、ヌーメロロジーの少なくとも１つが、ＵＥビームフォーミングトレーニングおよび／またはチャネル推定計算用であることを明示または暗示する標示をさらに受信してもよい。ある実施形態では、ＵＥは、送信参照ヌーメロロジーおよびアンテナポートによっては、受信機アンテナを切り替える標示を受信してもよい。
【００４５】
図７は、ある実施形態によるシステムを示す。図１、２、３、４、５、６に示す各信号やブロックは、ハードウェア、ソフトウェア、ファームウェア、１つ以上のプロセッサおよび／または回路構造等の各種手段やそれらの組合せによって実施されてもよいことが理解されよう。ある実施形態におけるシステムは、例えば、ネットワークノード７２０またはＵＥ７１０等の複数のデバイスを備えてもよい。このシステムは、図面では１つのアクセスノードのみが説明のため示されているが、２つ以上のＵＥ７１０および２つ以上のネットワークノード７２０を備えてもよい。このネットワークノードは、アクセスノード、基地局、５Ｇ−ＮＢ、サーバ、ホスト、または本明細書に記載のいずれかのアクセスまたはネットワークノードのいずれかであってもよい。ネットワークノード７２０は、少なくとも１つのＴＲＰを備えてもよい。
【００４６】
これらデバイスは、それぞれ７１１および７２１で示す少なくとも１つのプロセッサまたは制御部またはモジュールを備えていてもよい。それぞれ７１２および７２２で示すように、少なくとも１つのメモリが、各デバイスに設けられていてもよい。メモリは、コンピュータプログラム命令またはコンピュータコードを内部に含んでもよい。１つ以上の送受信機７１３および７２３が設けられ、各デバイスもそれぞれ７１４および７２４で示すようにアンテナを備えていてもよい。図示されたアンテナは１つずつ設けられているが、各デバイスには多数のアンテナまたは複数のアンテナ要素が設けられていてもよい。より上位種のＵＥは、一般的に複数のアンテナパネルを有する。例えばこれらのデバイスの異なる構成が実現されてもよい。例えば、ネットワークノード７２０およびＵＥ７１０は、無線通信に加えて有線通信用に構成されてもよい。その場合、アンテナ７１４および７２４は、単にアンテナに限定されるのではなく、通信ハードウェアの任意の形態をとりうる。
【００４７】
送受信機７１３および７２３はそれぞれ他方に関係なく、送信機、受信機、送信機および受信機の両方、または送信および受信の両方用に構成されうるユニットまたはデバイスであってもよい。別の実施形態では、ＵＥまたはネットワークノードは、少なくとも１つの個別の受信機または送信機を有してもよい。送信機および／または受信機は（無線部品に関する限り）、デバイスそのものではなく、例えば無線塔に設けられる遠隔無線ヘッドとして実現されてもよい。動作または機能は、ノード、ホスト、またはサーバ等の異なるエンティティで柔軟に実行されてもよい。したがって、負荷の分担をケースバイケースで異ならせることができる。１つの可能な用途としては、ネットワークノードにローカルコンテンツを送らせるようにすることである。１つ以上の機能は、サーバ上で動作可能なソフトウェア内で、（１つまたは複数の）仮想アプリケーションとして実現されてもよい。ビームフォーマーは送受信機の一種であってもよい。
【００４８】
ユーザデバイスまたはユーザ端末７１０は、移動局（Mobile Station：ＭＳ）であってもよく、この例としては、携帯電話、スマートフォン、マルチメディアデバイス、無線通信機能付きのタブレットなどのコンピュータ、無線通信機能付きの携帯情報端末（Personal Data/Digital Assistant：ＰＤＡ）、ポータブルメディアプレイヤー、デジタルカメラ、ポケットビデオカメラ、無線通信機能付きのナビゲーションユニット、またはこれらの任意の組合せが挙げられる。
【００４９】
いくつかの実施形態では、ネットワークエンティティ等の装置は、図１、２、３、４、５、６と関連して上述された実施形態を実行する手段を備えてもよい。ある実施形態では、コンピュータプログラムコードを含む少なくとも１つのメモリは、少なくとも１つのプロセッサにより、装置に、少なくとも本明細書に記載のいずれかのプロセスを実行させるように構成することができる。
【００５０】
ある実施形態によると、装置７１０は、コンピュータプログラムコードを含む少なくとも１つのメモリ７１２と、少なくとも１つのプロセッサ７１１とを備えてもよい。少なくとも１つのメモリ７１２およびコンピュータプログラムコードは、少なくとも１つのプロセッサ７１１により、装置７１０に、少なくともユーザ端末においてマルチヌーメロロジー結合参照信号を受信すること実行させるように構成される。この参照信号は、データチャネル復調またはチャネル状態情報取得用の参照信号と、ビームフォーミングトレーニングパターン用の参照信号を含む。少なくとも１つのメモリ７１２およびコンピュータプログラムコードは、少なくとも１つのプロセッサ７１１により、装置７１０に、少なくともビームフォーミングトレーニングと、チャネル推定またはチャネル状態情報取得とを、マルチヌーメロロジー結合参照信号に基づいて同時に実行させるように構成されてもよい。
【００５１】
ある実施形態によると、装置７２０は、コンピュータプログラムコードを含む少なくとも１つのメモリ７２２と、少なくとも１つのプロセッサ７２１とを備えてもよい。少なくとも１つのメモリ７２２およびコンピュータプログラムコードは、少なくとも１つのプロセッサ７２１により、装置７２０に、少なくともネットワークノードにおいて、マルチヌーメロロジー結合参照信号を作成させるように構成される。参照信号データチャネル復調またはチャネル状態情報取得用の参照信号と、ビームフォーミングトレーニング用の参照信号とを含む。少なくとも１つのメモリ７２２およびコンピュータプログラムコードは、少なくとも１つのプロセッサ７２１により、装置７２０にさらに、少なくともマルチヌーメロロジー結合参照信号をユーザ端末に送信させることを実行させるように構成されてもよい。
【００５２】
プロセッサ７１１および７２１は、任意の計算またはデータ処理デバイスによって実行されてもよく、この例として、中央演算装置（Central Processing Unit：ＣＰＵ）、デジタル信号プロセッサ（Digital Signal Processor：ＤＳＰ）、特定用途向け集積回路（Application Specific Integrated Circuit：ＡＳＩＣ）、プログラム可能論理回路（Programmable Logic Device：ＰＬＤ）、フィールドプログラマブルゲートアレイ（Field Programmable Gate アレイ：ＦＰＧＡ）、デジタル強調回路（digitally enhanced circuit）、これらと同等なデバイス、またはこれらの組合せが挙げられる。プロセッサは、単一のコントローラとして、または複数のコントローラやプロセッサとして実現されてもよい。
【００５３】
ファームウェアまたはソフトウェアの場合、少なくとも１つのチップセットのモジュールまたはユニット（例えば手順、機能など）により実現されてもよい。メモリ７１２および７２２はそれぞれ、他方の構成に関わりなく、非一時的コンピュータ可読媒体のような任意の適切な記憶装置であってもよい。ハードディスクドライブ（Hard Disk Drive：ＨＤＤ）、ランダムアクセスメモリ（Random Access Memory：ＲＡＭ）、フラッシュメモリ、またはその他の適切なメモリを使用してもよい。メモリは、プロセッサとしての単一の集積回路に組み合わされてもよいし、これから独立していてもよい。メモリに記憶され、プロセッサにより処理されうるコンピュータプログラム命令は、任意の適切な形態のコンピュータプログラムコードであってもよい。例えば、任意の適切なプログラム言語で書かれたコンパイル方式またはインタプリタ方式のコンピュータプログラムであってもよい。メモリまたはデータ記憶エンティティは、通常内蔵型だが、外付けであっても、それらを組み合わせた形態であってもよい。すなわち、追加のメモリ容量がサービスプロバイダから提供されるような状況でもよい。メモリは備え付けでも、取り外し可能であってもよい。
【００５４】
メモリおよびコンピュータプログラム命令は、特定のデバイス用のプロセッサにより、ネットワークノード７２０またはＵＥ７１０などのハードウェア装置に、上述のプロセスのうちの任意のものを実行させるように構成されてもよい（例えば、図１、２、３、４、５、６を参照）。したがって、ある実施形態では、ハードウェアにおいて実行されると本明細書に記載したプロセスのうちの１つのようなプロセスを実行するコンピュータ命令または１つまたは複数のコンピュータプログラム（追加または更新ソフトウェアルーチン、アプレット、またはマクロ）により、非一時的コンピュータ可読媒体が符号化されてもよい。コンピュータプログラムは、Ｏｂｊｅｃｔｉｖｅ−Ｃ、Ｃ、Ｃ＋＋、Ｃ＃、Ｊａｖａ（登録商標）などの高級言語や、機械語などの低級言語のようなプログラミング言語、またはアセンブラによりコード化されてもよい。あるいは、本発明のある実施形態はすべてハードウェアで実現されてもよい。
【００５５】
さらに、図７ではネットワークノード７２０およびＵＥ７１０が含まれるシステムが図示されているが、あるにおいては、図示または上述のとおり、本発明の実施形態は、その他の構成や、追加要素をさらに含む構成にも適用可能である。例えば、ユーザ端末デバイスおよびネットワークエンティティが複数存在してもよいし、あるいはそれらと同様の機能を提供する別のノードが存在してもよい。これには、リレーノードのような、ユーザ端末とネットワークエンティティの機能を組み合わせたノードが挙げられる。ＵＥ７１０にも同様に、通信ネットワークノード７２０以外の通信のための各種構成が設けられていてもよい。例えば、ＵＥ７１０は、デバイス間通信、マシン間通信、または車両間通信用に構成されていてもよい。
【００５６】
ある実施形態は、複数のアンテナパネルを備えたＵＥが、システムに莫大なオーバーヘッドやレイテンシを生じることなく動作可能とする。上述の実施形態は、マルチヌーメロロジー参照信号を使用することで、ビームフォーミングトレーニングと、チャネル推定またはＣＳＩのサブフレームを同時に実行することで、オーバーヘッドとレイテンシを低減できる。サブキャリア間隔等の異なる複数のヌーメロロジーを、参照信号の周波数で多重化できる。マルチヌーメロロジー結合参照信号により、個別の複数のトレーニング信号をスケジューリングする必要を避けうる。
【００５７】
本明細書の全体にわたって記載されたある実施形態の特性、構成、または特徴は、１つ以上の実施形態において任意の形で組み合わされてもよい。例えば、本明細書の全体にわたって記載された「ある実施形態」、「いくつかの実施形態」、「別の実施形態」、または同様の表現は、実施形態に関連して記載された特定の特性、構成、または特徴が、本発明の少なくとも１つの実施形態に含まれていてもよいことを示している。したがって、本明細書の全体にわたって記載された「ある実施形態」、「いくつかの実施形態」、「別の実施形態」、または同様の表現により、必ずしも同じ群の実施形態を示しているわけではなく、記載された特性、構成、または特徴は１つ以上の実施形態において任意の好適な形で組み合わされてもよい。
【００５８】
当業者であれば、上述の本発明は、異なる順序の工程で実施しうることや、開示されたものとは異なる構成のハードウェア要素で実施しうることを容易に理解するであろう。したがって、本発明は好適な実施形態に基づいて説明されているが、当業者には、本発明の趣旨と範囲から逸脱することなくある種の変形例、変更、および代替の構造を採りうることが自明であろう。
【００５９】
略語の一覧
３ＧＰＰ    （Third Generation Partnership Program）第３世代パートナーシッププログラム
ＢＲＳ        ビーム参照信号
ＢＲＲＳ    ビーム向上参照信号
ＣＳＩ        チャネル状態情報
ＣＱＩ        チャネル品質標示
ＤＣＩ        ダウンリンク制御情報
ＤＭＲＳ    復調参照信号
ＰＭＩ        プリコードマトリクスインジケータ
ＲＳＲＰ    参照信号受信電力
ＲＩ        ランクインジケータ
ＲＸ        受信機
ＲＳ        参照信号
ＴＸ        送信機
ＴＸＲＵ    送信機および受信機ユニット
ＱＣＬ        疑似コロケーション
ＵＥ        ユーザ端末
【００６０】
第１の実施形態によると、方法は、ユーザ端末において、マルチヌーメロロジー結合参照信号を受信することを含んでもよい。前記参照信号は、データチャネル復調またはチャネル状態情報取得用の参照信号と、ビームフォーミングトレーニング用の参照信号とを含んでもよい。前記方法はさらに、ビームフォーミングトレーニングと、チャネル推定またはチャネル状態情報（ＣＳＩ）取得とを、前記マルチヌーメロロジー結合参照信号に基づいて同時に実行することを含んでもよい。
【００６１】
変形例では、前記ユーザ端末は、マルチヌーメロロジー参照信号を検出するために、複数のアンテナポートが設定されていることを示す標示を受信してもよい。
【００６２】
別の変形例では、前記ユーザ端末において、前記マルチヌーメロロジー参照信号における第１のヌーメロロジーがビームフォーミングトレーニング用であって、前記マルチヌーメロロジー参照信号における第２のヌーメロロジーがチャネル推定またはチャネル状態情報取得用であることを示す標示を受信してもよい。
【００６３】
さらに別の変形例では、前記チャネル推定は、少なくとも参照信号受信電力または参照信号受信品質の推定を含んでもよい。
【００６４】
さらに別の変形例では、前記ＣＳＩ取得は、計算ランクインジケータ（ＲＩ）と、プリコーダ行列インジケータ（ＰＭＩ）と、チャネル品質情報（ＣＱＩ）とを含んでもよい。
【００６５】
いくつかの変形例では、少なくとも１つのガードトーンが前記参照信号に含まれ、前記ガードトーンは、前記マルチヌーメロロジー参照信号の第１のヌーメロロジーと第２のヌーメロロジーとの間に配置されてもよい。
【００６６】
さらなる変形例では、前記マルチヌーメロロジー参照信号の第１のヌーメロロジーと第２のヌーメロロジーとが、符号領域または周波数領域において多重化されてもよい。
【００６７】
変形例では、前記ユーザ端末は、前記参照信号における前記ヌーメロロジーの少なくとも１つに応じてアンテナポートを切り替える標示を受信してもよい。
【００６８】
別の変形例では、前記マルチヌーメロロジー参照信号の第１のヌーメロロジーと第２のヌーメロロジーとが、互いに異なるサブキャリア間隔を有してもよい。
【００６９】
第２の実施形態によると、方法は、ネットワークノードにおいて、マルチヌーメロロジー結合参照信号を作成することを含んでもよい。前記参照信号は、データチャネル復調またはチャネル状態情報取得用の参照信号と、ビームフォーミングトレーニング用の参照信号とを含んでもよい。前記方法はさらに、前記マルチヌーメロロジー結合参照信号をユーザ端末に送信することを含んでもよい。
【００７０】
変形例では、前記マルチヌーメロロジー結合参照信号を送信することは、前記ユーザ端末からフィードバックまたはリクエストを受信することと、前記ネットワークノードでの所定のトリガ条件と、の少なくとも一方によりトリガされてもよい。
【００７１】
別の変形例では、単一の直交周波数分割多重化シンボル内で、前記ビームフォーミングトレーニングのパターンと、前記データチャネル復調または前記チャネル状態情報取得に関する情報とが、同時に送信されてもよい。
【００７２】
さらに別の変形例では、前記マルチヌーメロロジー参照信号は、前記ネットワークノードの異なる複数のアンテナポートに作成されてもよい。
【００７３】
別の変形例では、前記参照信号の第１のヌーメロロジーと前記の第２のヌーメロロジーとが、前記ネットワークノードの異なるアンテナポートで送信されてもよい。
【００７４】
いくつかの変形例では、少なくとも１つのガードトーンが前記参照信号に含まれ、前記ガードトーンは、前記マルチヌーメロロジー参照信号の第１のヌーメロロジーと第２のヌーメロロジーとの間に配置されてもよい。
【００７５】
さらなる変形例では、前記マルチヌーメロロジー参照信号の第１のヌーメロロジーと第２のヌーメロロジーとが、符号領域または周波数領域において多重化されてもよい。
【００７６】
変形例では、前記マルチヌーメロロジー参照信号の第１のヌーメロロジーと第２のヌーメロロジーとが、同一の持続期間において送信されてもよい。
【００７７】
別の変形例では、前記マルチヌーメロロジー参照信号における前記ヌーメロロジーの少なくとも１つが、データ送信用であってもよい。
【００７８】
第３および第４の実施形態によると、装置は、少なくとも１つのプロセッサと、少なくとも１つのメモリおよびコンピュータプログラムコードと、を備えることができる。前記少なくとも１つのメモリおよび前記コンピュータプログラムコードは、前記少なくとも１つのプロセッサにより、前記装置に、少なくとも第１および第２の実施形態とその変形例による方法を実行させるように構成されることができる。
【００７９】
第５および第６の実施形態によると、装置は、第１および第２の実施形態とそのいずれかの変形例による方法を実行する手段を備えてもよい。
【００８０】
第７および第８の実施形態によると、コンピュータプログラム製品は、第１および第２の実施形態とその変形例による方法を含むプロセスを実行するための命令を符号化してもよい。
【００８１】
第９および第１０の実施形態によると、非一時的コンピュータ可読媒体は、ハードウェアにおいて実行されると、第１および第２の実施形態とその変形例による方法を含むプロセスを実行する命令を符号化してもよい。
【図１】
2019532551.tif 000003
【図２】
2019532551.tif 000004
【図３】
2019532551.tif 000005
【図４】
2019532551.tif 000006
【図５】
2019532551.tif 000007
【図６】
2019532551.tif 000008
【図７】
2019532551.tif 000009
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ユーザ端末において、データチャネル復調またはチャネル状態情報取得用の参照信号と、ビームフォーミングトレーニング用の参照信号と、を含む多目的参照信号を受信することと、
ビームフォーミングトレーニングと、チャネル推定またはチャネル状態情報取得とを、前記多目的参照信号に基づいて同時に実行することと、
を含む方法。
【請求項２】
データチャネル復調またはチャネル状態情報取得用の前記参照信号は第１のヌーメロロジー（numerology）を含み、ビームフォーミングトレーニング用の前記参照信号は第２のヌーメロロジーを含む、請求項１に記載の方法。
【請求項３】
前記ユーザ端末において、複数のアンテナポートが設定されていることを示す標示を受信することをさらに含む、請求項１に記載の方法。
【請求項４】
前記チャネル推定は、少なくとも参照信号受信電力または参照信号受信品質の推定を含む、請求項１に記載の方法。
【請求項５】
前記チャネル状態情報取得は、計算ランクインジケータ（ＲＩ）と、プリコーダ行列インジケータ（ＰＭＩ）と、チャネル品質情報（ＣＱＩ）とを含む、請求項１に記載の方法。
【請求項６】
ビームまたはチャネルの相互関係を利用して、ＵＥアップリンクチャネルまたは送信ビームの少なくとも一方を取得することを含む、請求項１に記載の方法。
【請求項７】
前記多目的参照信号の前記第１のヌーメロロジー及び前記第２のヌーメロロジーが、符号領域または周波数領域において多重化される、請求項２に記載の方法。
【請求項８】
前記ユーザ端末において、前記多目的参照信号における前記第１のヌーメロロジー及び前記第２のヌーメロロジーの少なくとも１つに応じてアンテナポートを切り替える標示を受信すること、をさらに含む、請求項２に記載の方法。
【請求項９】
前記多目的参照信号における前記第１のヌーメロロジーと前記第２のヌーメロロジーとが、互いに異なるサブキャリア間隔を有することができる、請求項２に記載の方法。
【請求項１０】
前記ビームフォーミングトレーニングと、チャネル推定またはチャネル状態情報取得とを同時に実行することが、前記ユーザ端末における送信機または受信機の少なくとも一方のビーム方向調整をトリガする、請求項１に記載の方法。
【請求項１１】
ネットワークノードにおいて、データチャネル復調またはチャネル状態情報取得用の参照信号と、ビームフォーミングトレーニング用の参照信号と、を含む多目的参照信号を作成することと、
前記多目的参照信号をユーザ端末に送信することと、
を含む方法。
【請求項１２】
前記多目的参照信号を送信することは、前記ユーザ端末からフィードバックまたはリクエストを受信することと、前記ネットワークノードでの所定のトリガ条件と、の少なくとも一方によりトリガされる、請求項１１に記載の方法。
【請求項１３】
単一の直交周波数分割多重化シンボル内で、前記ビームフォーミングトレーニング用の前記参照信号と、前記データチャネル復調または前記チャネル状態情報取得用の前記参照信号とが、同時に送信される、請求項１１に記載の方法。
【請求項１４】
前記多目的参照信号は、前記ネットワークノードの異なる複数のアンテナポートに作成される、請求項１１に記載の方法。
【請求項１５】
データチャネル復調またはチャネル状態情報取得用の前記参照信号は第１のヌーメロロジーを含み、ビームフォーミングトレーニング用の前記参照信号は第２のヌーメロロジーを含む、請求項１１に記載の方法。
【請求項１６】
前記多目的参照信号の前記第１のヌーメロロジーと前記第２のヌーメロロジーとが、前記ネットワークノードの異なるアンテナポートで送信される、請求項１５に記載の方法。
【請求項１７】
前記多目的参照信号の前記第１のヌーメロロジー及び前記第２のヌーメロロジーは、符号領域または周波数領域において多重化される、請求項１５に記載の方法。
【請求項１８】
前記多目的参照信号の前記第１のヌーメロロジー及び前記第２のヌーメロロジーは、同一の持続期間において送信される、請求項１５に記載の方法。
【請求項１９】
前記多目的参照信号における前記第１のヌーメロロジーと前記第２のヌーメロロジーとが、互いに異なるサブキャリア間隔を有することができる、請求項１５に記載の方法。
【請求項２０】
前記多目的参照信号が、前記ユーザ端末における送信機または受信機の少なくとも一方のビーム方向調整をトリガする、請求項１１に記載の方法。
【請求項２１】
少なくとも１つのプロセッサと、
コンピュータプログラムコードを含む少なくとも１つのメモリと、を備える装置であって、
前記コンピュータプログラムコードは、前記少なくとも１つのプロセッサに実行されると、前記装置に少なくとも、請求項１から２０のいずれかに記載の方法を遂行させるように構成される、
装置。
【請求項２２】
装置の処理手段に実行されると、前記装置に、請求項１から２０のいずれかに記載の方法を遂行させるように構成されるプログラム命令を備える、コンピュータプログラム。
【請求項２３】
データチャネル復調またはチャネル状態情報取得用の参照信号と、ビームフォーミングトレーニング用の参照信号と、を含む多目的参照信号を受信する手段と、
ビームフォーミングトレーニングと、チャネル推定またはチャネル状態情報取得とを、前記多目的参照信号に基づいて同時に実行する手段と、
を備える、装置。
【請求項２４】
データチャネル復調またはチャネル状態情報取得用の参照信号と、ビームフォーミングトレーニング用の参照信号と、を含む多目的参照信号を作成する手段と、
前記多目的参照信号をユーザ端末に送信する手段と、
を備える、装置。
【国際調査報告】
2019532551.tif 000010
2019532551.tif 000011
2019532551.tif 000012
2019532551.tif 000013
2019532551.tif 000014